(57)【要約】【課題】製造の容易なプラズマディスプレイパネルを提供する。【解決手段】互いに対向するように配置される第１基板２１０及び第２基板２２０と、第１基板２１０と第２基板２２０との間に配置され、複数個の放電セル２３０Ｒ，２３０Ｇ，２３０Ｂを画定する第１隔壁２１４と、第１隔壁２１４内に配置され、放電セル２３０Ｒ，２３０Ｇ，２３０Ｂで放電を起こす放電電極対２６０，２７０と、第１隔壁２１４と第１基板２１０との間に介在されるカラーフィルタ層２８０と、を備える。【選択図】図３
2007214133.tif 000002
【特許請求の範囲】
【請求項１】
互いに対向するように配置される第１基板及び第２基板と、
前記第１基板と前記第２基板との間に配置され、複数個の放電セルを画定する第１隔壁と、
前記第１隔壁内に配置され、前記放電セルで放電を起こす放電電極対と、
前記第１隔壁と前記第１基板との間に介在されるカラーフィルタ層と、を備えるプラズマディスプレイパネル。
【請求項２】
前記カラーフィルタ層は、前記放電セルに対応するように形成される赤色、緑色、及び青色のカラーフィルタパターン層を有することを特徴とする請求項１に記載のプラズマディスプレイパネル。
【請求項３】
前記カラーフィルタ層は、前記第１隔壁に対応するように形成される吸光層をさらに有することを特徴とする請求項２に記載のプラズマディスプレイパネル。
【請求項４】
前記吸光層は、実質的に黒色を呈することを特徴とする請求項３に記載のプラズマディスプレイパネル。
【請求項５】
前記各放電電極対は、前記第１基板に実質的に垂直方向に離隔されて配置される第１放電電極及び第２放電電極を備え、
前記第１放電電極と前記第２放電電極とは、互いに交差しつつ延びており、
前記第１放電電極及び第２放電電極は、それぞれ延びる方向に沿って配置された各放電セルの少なくとも一部分を取り囲むことを特徴とする請求項１に記載のプラズマディスプレイパネル。
【請求項６】
前記各放電電極対は、前記第１基板に実質的に垂直方向に離隔されて配置される第１放電電極及び第２放電電極を備え、
前記第１放電電極と前記第２放電電極とは、互いに平行するように延びており、
前記第１放電電極及び第２放電電極は、それぞれ延びる方向に沿って配置された各放電セルの少なくとも一部分を取り囲むことを特徴とする請求項１に記載のプラズマディスプレイパネル。
【請求項７】
前記プラズマディスプレイパネルは、
前記隔壁内で前記放電電極対と実質的に垂直方向に離隔されて配置され、前記放電電極対と交差しつつ延びるアドレス電極をさらに備え、
前記アドレス電極は、延びる方向に沿って配置された各放電セルの少なくとも一部分を取り囲むことを特徴とする請求項６に記載のプラズマディスプレイパネル。
【請求項８】
前記放電セル内に配置される蛍光体層をさらに備えることを特徴とする請求項１に記載のプラズマディスプレイパネル。
【請求項９】
前記蛍光体層は、白色発光蛍光体を含むことを特徴とする請求項８に記載のプラズマディスプレイパネル。
【請求項１０】
前記第１隔壁と前記第２基板との間に介在される第２隔壁をさらに備え、
前記蛍光体層の少なくとも一部分は、前記第２隔壁の側面に形成されていることを特徴とする請求項８に記載のプラズマディスプレイパネル。
【請求項１１】
互いに対向するように配置される第１基板及び第２基板と、
前記第１基板と前記第２基板との間に配置され、複数個の放電セルを画定する第１隔壁と、
前記第１隔壁内に配置され、前記放電セルで放電を起こす放電電極対と、
前記第２基板に対向する前記第１基板上に形成されたグルーブ内に配置されているカラーフィルタ層と、を備えるプラズマディスプレイパネル。
【請求項１２】
前記カラーフィルタ層は、前記放電セルに対応するように形成される赤色、緑色、及び青色のカラーフィルタパターン層を有することを特徴とする請求項１１に記載のプラズマディスプレイパネル。
【請求項１３】
前記カラーフィルタ層は、前記第１隔壁に対応するように形成される吸光層をさらに有することを特徴とする請求項１２に記載のプラズマディスプレイパネル。
【請求項１４】
前記吸光層は、実質的に黒色を呈することを特徴とする請求項１３に記載のプラズマディスプレイパネル。
【請求項１５】
前記各放電電極対は、前記第１基板に実質的に垂直方向に離隔されて配置される第１放電電極及び第２放電電極を備え、
前記第１放電電極と前記第２放電電極とは、互いに交差しつつ延びており、
前記第１放電電極及び第２放電電極は、それぞれ延びる方向に沿って配置された各放電セルの少なくとも一部分を取り囲むことを特徴とする請求項１１に記載のプラズマディスプレイパネル。
【請求項１６】
前記各放電電極対は、前記第１基板に実質的に垂直方向に離隔されて配置される第１放電電極及び第２放電電極を備え、
前記第１放電電極と前記第２放電電極とは、互いに平行するように延びており、
前記第１放電電極及び第２放電電極は、それぞれ延びる方向に沿って配置された各放電セルの少なくとも一部分を取り囲むことを特徴とする請求項１１に記載のプラズマディスプレイパネル。
【請求項１７】
前記プラズマディスプレイパネルは、
前記隔壁内で前記放電電極対と実質的に垂直方向に離隔されて配置され、前記放電電極対と交差しつつ延びるアドレス電極をさらに備え、
前記アドレス電極は、延びる方向に沿って配置された各放電セルの少なくとも一部分を取り囲むことを特徴とする請求項１６に記載のプラズマディスプレイパネル。
【請求項１８】
前記放電セル内に配置される蛍光体層をさらに備えることを特徴とする請求項１１に記載のプラズマディスプレイパネル。
【請求項１９】
前記蛍光体層は、白色発光蛍光体を含むことを特徴とする請求項１８に記載のプラズマディスプレイパネル。
【請求項２０】
前記第１隔壁と前記第２基板との間に介在される第２隔壁をさらに備え、
前記蛍光体層の少なくとも一部分は、前記第２隔壁の側面に形成されていることを特徴とする請求項１８に記載のプラズマディスプレイパネル。
【発明の詳細な説明】
【技術分野】
【０００１】
本発明は、プラズマディスプレイパネルに関し、さらに詳細には、製造の容易なプラズマディスプレイパネルに関する。
【背景技術】
【０００２】
プラズマディスプレイパネル（ＰＤＰ）は、ガス放電現象を利用して画像を表示するディスプレイパネルであり、輝度、コントラスト、残像、及び視野角のような各種表示特性に優れており、薄型であって大画面表示が可能であり、次世代大型ディスプレイパネルとして脚光を浴びている。
【０００３】
図１には、一般的なＰＤＰ１００が図示されている。ＰＤＰ１００は、第１基板１０１、第１基板１０１上に配置された維持電極１０６，１０７、維持電極を覆う第１誘電体層１０９、第１誘電体層を覆う保護層１１１、第１基板１０１に対向して配置される第２基板１１５、第２基板１１５上に互いに平行するように配置されたアドレス電極１１７、アドレス電極１１７を覆う第２誘電体層１１３、第２誘電体層１１３上に形成された隔壁１１４、及び第２誘電体層１１３の上面と隔壁１１４の側面とに形成された赤色、緑色、青色の発光蛍光体層１１０を具備する。
【０００４】
ところで、ＰＤＰ１００を製造するとき、赤色、緑色、青色の放電セルをそれぞれ別途の工程で形成しなければならないために、製造が複雑であり、コストがかさむという問題点がある。
【発明の開示】
【発明が解決しようとする課題】
【０００５】
本発明は、製造が容易であるＰＤＰを提供することを目的とする。
【課題を解決するための手段】
【０００６】
本発明は、互いに対向するように配置される第１基板及び第２基板と、前記第１基板と前記第２基板との間に配置され、複数個の放電セルを画定する第１隔壁と、前記第１隔壁内に配置され、前記放電セルで放電を起こす放電電極対と、前記第１隔壁と前記第１基板との間に介在されるカラーフィルタ層と、を備えるＰＤＰを提供する。
【０００７】
本発明の他の側面によれば、本発明は、互いに対向するように配置される第１基板及び第２基板と、前記第１基板と前記第２基板との間に配置され、複数個の放電セルを画定する第１隔壁と、前記第１隔壁内に配置され、前記放電セルで放電を起こす放電電極対と、前記第２基板に対向する前記第１基板上に形成されたグルーブ内に配置されているカラーフィルタ層と、を備えるＰＤＰを提供する。
【０００８】
本発明において、前記カラーフィルタ層は、前記放電セルに対応するように形成される赤色、緑色、及び青色のカラーフィルタパターン層を有することができる。このとき、前記カラーフィルタ層は、前記第１隔壁に対応するように形成される吸光層をさらに有することができ、前記吸光層は、実質的に黒色を呈することができる。
【０００９】
また、本発明において、前記各放電電極対は、前記第１基板に実質的に垂直方向に離隔されて配置される第１放電電極及び第２放電電極を備えることができる。このとき、前記第１放電電極と前記第２放電電極とは、互いに交差しつつ延びており、前記第１放電電極及び第２放電電極は、それぞれ延びる方向に沿って配置された各放電セルの少なくとも一部分を取り囲むことができる。
【００１０】
また、本発明において、前記各放電電極対は、前記第１基板に実質的に垂直方向に離隔されて配置される第１放電電極及び第２放電電極を備えることができる。このとき、前記第１放電電極と前記第２放電電極とは、互いに平行するように延びており、前記第１放電電極及び第２放電電極は、それぞれ延びる方向に沿って配置された各放電セルの少なくとも一部分を取り囲むことができる。このとき、前記ＰＤＰは、前記隔壁内で前記放電電極対と実質的に垂直方向に離隔されて配置され、前記放電電極対と交差しつつ延びるアドレス電極をさらに備えることができる。前記アドレス電極は、延びる方向に沿って配置された各放電セルの少なくとも一部分を取り囲むことができる。
【００１１】
また、本発明において、前記ＰＤＰは、前記放電セル内に配置される蛍光体層をさらに備えることができる。このとき、前記蛍光体層は、白色発光蛍光体を含むことができる。また、前記ＰＤＰは、前記第１隔壁と前記第２基板との間に介在される第２隔壁をさらに備えることができる。このとき、前記蛍光体層の少なくとも一部分は、前記第２隔壁の側面に形成できる。
【発明の効果】
【００１２】
本発明によれば、ＰＤＰの製造が容易になり、かつ製造時間が短縮される。
【発明を実施するための最良の形態】
【００１３】
以下、添付された図面を参照しつつ、本発明の望ましい実施形態について詳細に説明する。図面で同じ参照符号は、同じ構成要素を指す。
【００１４】
図２は、本発明の一実施形態におけるＰＤＰ２００の部分分離斜視図であり、図３は、図２のIII−III線に沿った断面図である。また、図４は、図２に図示された赤色、緑色、青色の放電セル２３０Ｒ，２３０Ｇ，２３０Ｂ、第１放電電極２６０、及び第２放電電極２７０の概略的な配置図である。
【００１５】
ＰＤＰ２００は、互いに対向するように配置される第１基板２１０及び第２基板２２０を備える。第１基板２１０は、一般的には、ガラスを主成分とする透光性に優れる素材により製造される。ただし、反射輝度を低下させて明室コントラストを向上させるために、第１基板２１０を着色することもある。また、第２基板２２０は、第１基板２１０から離隔されて配置され、第１基板２１０との間に複数個の放電セル２３０を区画する。第２基板２２０は、ガラスのように透光性に優れる材料により製造され、第１基板２１０と同様に、着色されうる。
【００１６】
赤色、緑色、青色の放電セル２３０Ｒ，２３０Ｇ，２３０Ｂで生成された光が第１基板２１０を介して外部に出射される。ここで、図１のＰＤＰ１００では、第１基板１１１上に維持電極１０６，１０７が配置されているために、可視光の透過率が低い。しかし、図３を参照すれば、本実施形態のＰＤＰ２００では、第１基板２１０上に第１放電電極２６０及び第２放電電極２７０が配置されていないため、可視光透過率が大きく向上する。
【００１７】
図２を参照すれば、電極シート２５０は、複数個の赤色、緑色、青色の放電セル２３０Ｒ，２３０Ｇ，２３０Ｂを画定する隔壁２１４を具備する。本実施形態では、隔壁２１４は、円形の横断面を有する赤色、緑色、青色の放電セル２３０Ｒ，２３０Ｇ，２３０Ｂを画定するように図示されているが、本発明は、これらに限定されるものではない。すなわち、隔壁２１４は、複数の赤色、緑色、青色の放電セル２３０Ｒ，２３０Ｇ，２３０Ｂを画定できる限り、多様なパターンになりうる。例えば、赤色、緑色、青色の放電セル２３０Ｒ，２３０Ｇ，２３０Ｂの横断面は、円形以外にも、三角形、四角形、五角形のような多角形、または楕円形などになるように形成されうる。
【００１８】
電極シート２５０は、複数個の放電電極対を備え、各放電電極対は、第１放電電極２６０及び第２放電電極２７０を備える。図２及び図３を参照すれば、第１放電電極２６０及び第２放電電極２７０は、隔壁２１４の内部に配置されている。第１放電電極２６０は、第２放電電極２７０と対をなし、赤色、緑色、青色の放電セル２３０Ｒ，２３０Ｇ，２３０Ｂで放電を起こす。図４を参照すれば、各第１放電電極２６０は、第１方向（Ｘ方向）に沿って配置された放電セル（赤色放電セル２３０Ｒ、緑色放電セル２３０Ｇ、または青色放電セル２３０Ｂ）を取り囲みつつ延びている。
【００１９】
図４を参照すれば、第２放電電極２７０は、第１方向（Ｘ方向）と交差する第２方向（Ｙ方向）に沿って配置された赤色、緑色、青色の放電セル２３０Ｒ，２３０Ｇ，２３０Ｂを取り囲みつつ延びている。また、第１放電電極２６０及び第２放電電極２７０は、隔壁２１４内で第１基板２１０に垂直方向（Ｚ方向）に離隔されて配置される。このとき、第２放電電極２７０が第１放電電極２６０よりも前記第１基板２１０に隣接するように配置されるが、本発明は、これに限定されるものではない。
【００２０】
本実施形態によるＰＤＰ２００は、二電極構造をなす。従って、第１放電電極２６０及び第２放電電極２７０のうち一の電極は、走査及び維持電極として作用し、他の電極は、アドレシング及び維持電極として作用する。
【００２１】
図２及び図３を参照すれば、第１放電電極２６０及び第２放電電極２７０は、隔壁２１４内に配置されるために、アルミニウム、銅のような導電性金属から形成されうる。従って、第１放電電極２６０及び第２放電電極２７０に電圧が印加される場合、第１放電電極２６０及び第２放電電極２７０の長手方向への電圧降下が小さいために、安定した信号伝達が可能になる。
【００２２】
隔壁２１４は、隣接した第１放電電極２６０と第２放電電極２７０との直接的な通電を防止し、陽イオンまたは電子が第１放電電極２６０及び第２放電電極２７０に直接衝突して第１放電電極２６０及び第２放電電極２７０を損傷させることを防止する。また、隔壁２１４は、電荷を誘導して壁電荷を蓄積する機能を有する。従って、隔壁２１４は、誘電体により形成されている。
【００２３】
電極シート２５０は、隔壁２１４の側面のうち、第１放電電極２６０及び第２放電電極２７０に対応する部分に形成される保護層２１５をさらに備える。保護層２１５は、プラズマ粒子が隔壁２１４を損傷させることを防止し、また、二次電子を放出して放電電圧を下げる役割を果たす。保護層２１５は、隔壁２１４の側面に酸化マグネシウム（ＭｇＯ）を蒸着することにより形成されうる。
【００２４】
隔壁２１４の保護層２１５が形成されていない部分には、蛍光体層２２５が形成されている。蛍光体層２２５は、紫外線を受けて白色光を生成する白色発光蛍光体層である。蛍光体層２２５は、赤色、緑色、青色の発光蛍光体を混ぜて形成される。このとき、ＰＤＰの色温度及び寿命特性を考慮し、赤色、緑色、青色の発光蛍光体の比率が決定される。赤色発光蛍光体は、（Ｙ，Ｇｄ）ＢＯ３：Ｅｕ３＋があり、緑色発光蛍光体は、Ｚｎ２ＳｉＯ４：Ｍｎがあり、青色発光蛍光体は、ＢａＭｇＡｌ１４Ｏ２３：Ｅｕ２＋がある。
【００２５】
隔壁２１４と第１基板２１０との間には、カラーフィルタ層２８０が形成されている。さらに具体的には、カラーフィルタ層２８０は、第１基板２１０の表面に形成される。カラーフィルタ層２８０は、赤色、緑色、青色のカラーフィルタパターン層２８０Ｒ，２８０Ｇ，２８０Ｂ、及び吸光層２８５を備える。赤色、緑色、青色のカラーフィルタパターン層２８０Ｒ，２８０Ｇ，２８０Ｂは、それぞれ赤色、緑色、青色の放電セル２３０Ｒ，２３０Ｇ，２３０Ｂに対応する部分に形成される。赤色カラーフィルタパターン層２８０Ｒは、蛍光体層２２５によって形成された白色光のうち、赤色光を選択的に外部に透過させ、緑色カラーフィルタパターン層２８０Ｇは、蛍光体層２２５によって形成された白色光のうち、緑色光を選択的に外部に透過させ、青色カラーフィルタパターン層２８０Ｂは、蛍光体層２２５によって形成された白色光のうち、青色光を選択的に外部に透過させる機能を有する。従って、赤色、緑色、及び青色のカラーフィルタパターン層２８０Ｒ，２８０Ｇ，２８０Ｂにより、赤色光、緑色光、及び青色光が形成されるので、外部に所望の画像が具現されうる。
【００２６】
吸光層２８５は、実質的に黒色を帯び、外光を吸収する機能を有する。従って、吸光層２８５は、非放電領域に対応する部分に形成され、具体的には、隔壁２１４に対向する部分に形成される。従って、吸光層２８５によって外光反射が減少するために、ＰＤＰの明室コントラストが向上する。
【００２７】
放電セル２３０内には、Ｎｅ、Ｘｅ、及びそれらの混合気体などのような放電ガスが封入される。
【００２８】
ＰＤＰ２００を製造する方法は、次の通りである。まず、第１基板２１０、第２基板２２０、及び電極シート２５０を準備する。まず、第１基板２１０上に、カラーフィルタ層２８０を形成する。電極シート２５０は、次のような方法で製造される。まず、図３に図示されているように、誘電体シート２１４ａ、第１放電電極２６０の形成された誘電体シート２１４ｂ、誘電体シート２１４ｃ、第２放電電極２７０の形成された誘電体シート２１４ｄ、及び誘電体シート２１４ｅを順次に積層した後、それらを乾燥及び焼成する。その後、赤色、緑色、青色の放電セル２３０Ｒ，２３０Ｇ，２３０Ｂに蛍光体層２２５を形成する。また、隔壁２１４の内側面に保護層２１５を蒸着して電極シート２５０を形成する。第１基板２１０、第２基板２２０、及び電極シート２５０が準備された後には、フリットガラスを利用し、第１基板２１０と第２基板２２０とを封着する。その後、排気／放電ガス注入工程を連続的に行ってＰＤＰを製造する。前述した通り、蛍光体層２２５を赤色、緑色、青色の放電セル２３０Ｒ，２３０Ｇ，２３０Ｂに共通に形成できるために、製造が単純になり、製造時間が短縮される。従って、製造コストも節減される。
【００２９】
上記のような構成を有する本発明の一実施形態によるＰＤＰ２００の駆動方法は、次の通りである。
【００３０】
まず、第１放電電極２６０と第２放電電極２７０との間にアドレス放電が起き、該アドレス放電の結果として、維持放電の起こる放電セル２３０Ｒ，２３０Ｇ，２３０Ｂが選択される。その後、選択された放電セル２３０Ｒ，２３０Ｇ，２３０Ｂの第１放電電極２６０と第２放電電極２７０との間に交流である維持電圧が印加されれば、第１放電電極２６０と第２放電電極２７０との間に維持放電が起こる。この維持放電によって励起された放電ガスのエネルギー準位が低くなりつつ紫外線が放出される。そして、この紫外線が蛍光体層２２５を励起させるが、この励起された蛍光体層２２５のエネルギー準位が低くなりつつ白色光が生成される。白色光が赤色、緑色、青色のカラーフィルタパターン層２８０Ｒ，２８０Ｇ，２８０Ｂを透過しつつ、赤色光、緑色光、または青色光になる。かかる赤色光、緑色光、及び青色光が単独または混合されて画像を構成する。ここで、赤色、緑色、及び青色のカラーフィルタパターン層２８０Ｒ，２８０Ｇ，２８０Ｂが最適化される場合、色座標がさらに向上されうる。
【００３１】
一般的なＰＤＰ１００においては、維持電極１０６，１０７間の維持放電が第１基板１０１に水平方向に起こり、放電面積が相対的に狭小である。しかし、本実施形態によるＰＤＰ２００の維持放電は、隔壁２１４のあらゆる側面で起こり、放電面積が相対的に広いという長所がある。また、本実施形態での維持放電は、隔壁２１４の側面に沿って閉曲線を形成し、順次に各放電セル２３０Ｒ，２３０Ｇ，２３０Ｂの中央部に広がる。これにより、維持放電の起こる領域の大きさが増す。また、維持放電が各放電セル２３０Ｒ，２３０Ｇ，２３０Ｂの中心部分だけで主になされるので、蛍光体層のイオンスパッタリングが防止される。従って、同じ画像を長時間表示しても、永久残像が生じないという長所がある。
【００３２】
図５は、本発明の他の実施形態によるＰＤＰ３００の部分断面図である。図５を参照すれば、ＰＤＰ３００は、互いに対向して配置される第１基板３１０及び第２基板３２０を備える。
【００３３】
ＰＤＰ３００は、第１基板３１０と第２基板３２０との間に配置される電極シート３５０をさらに備える。電極シート３５０は、複数個の赤色、緑色、青色の放電セル３３０Ｒ，３３０Ｇ，３３０Ｂを画定する第１隔壁３１４ａを備える。第１隔壁３１４ａは、誘電体から形成される。電極シート３５０は、第１隔壁３１４ａ内に配置されて赤色、緑色、青色の放電セル３３０Ｒ，３３０Ｇ，３３０Ｂで放電を起こす複数個の放電電極対をさらに備える。各放電電極対は、第１放電電極３６０及び第２放電電極３７０を備え、第１放電電極３６０及び第２放電電極３７０は、第１隔壁３１４ａ内で第１基板３１０に垂直方向に離隔されて配置される。各第１放電電極３６０は、列方向に沿って配置されている赤色放電セル３３０Ｒ、緑色放電セル３３０Ｇ、または青色放電セル３３０Ｂをそれぞれ取り囲みつつ延び、各第２放電電極３７０は、行方向に沿って配置されている放電セル３３０Ｒ，３３０Ｇ，３３０Ｂをそれぞれ取り囲みつつ延びている。従って、第１放電電極３６０は、第２放電電極３７０と交差する。また、電極シート３５０は、第１隔壁３１４ａの側面（内側面）に形成される保護層３１５をさらに備える。
【００３４】
ＰＤＰ３００は、電極シート３５０と第２基板３２０との間に配置される第２隔壁３１４ｂをさらに備える。第２隔壁３１４ｂの内側面と第２基板３２０の表面とには、蛍光体層３２５が配置される。蛍光体層３２５は、紫外線によって白色光を生成する白色発光蛍光体層である。第２隔壁３１４ｂによって蛍光体層３２５が形成される面積が拡大するため、発光効率が大きく向上する。第２隔壁３１４ｂは、第２基板３２０上に隔壁用ペーストを塗布した後、サンドブラスト法により形成されうる。もし、蛍光体層３２５が赤色、緑色、青色の発光蛍光体層でパターン形成されれば、第２隔壁３１４ｂは、第１隔壁３１４ａと位置合わせされるように組み立てられねばならない。しかし、本実施形態では、蛍光体層３２５が白色発光蛍光体層であるために、第２隔壁３１４ｂは、第１隔壁３１４ａとの位置合わせ（アライン）が不要である。また、第１隔壁３１４ａの形状と第２隔壁３１４ｂの形状とが互いに異なりうる。従って、製造が容易になるという長所を有する。図５を参照すれば、第２隔壁３１４ｂは、赤色、緑色、青色の放電セル３３０Ｒ，３３０Ｇ，３３０Ｂを備える単位画素に対応するように電極シート３５０と第２基板３２０との間の空間を区画しているが、本発明は、これに限定されるものではない。
【００３５】
第１隔壁３１４ａと第１基板３１０との間には、カラーフィルタ層３８０が形成されている。さらに具体的には、カラーフィルタ層３８０は、第１基板３１０の表面に形成される。カラーフィルタ層３８０は、赤色、緑色、青色のカラーフィルタパターン層３８０Ｒ，３８０Ｇ，３８０Ｂ、及び吸光層３８５を備える。赤色、緑色、青色のカラーフィルタパターン層３８０Ｒ，３８０Ｇ，３８０Ｂは、それぞれ放電セル３３０Ｒ，３３０Ｇ，３３０Ｂに対応する部分に形成される。吸光層３８５は、実質的に黒色を呈し、外光を吸収する機能を有する。従って、吸光層３８５は、非放電領域に対応する部分に形成され、具体的には、第１隔壁３１４ａに対向する部分に形成される。吸光層３８５によって外光反射が減少し、明室コントラストが向上する。
【００３６】
ＰＤＰ３００は、放電セル３３０Ｒ，３３０Ｇ，３３０Ｂ内に配置される放電ガスをさらに備える。ＰＤＰ３００の駆動方法は、図２に図示されたＰＤＰ２００の駆動方法と同様であるので、ここでは省略する。
【００３７】
図６を参照すれば、図５に図示されたＰＤＰの変形例が図示されている。図５と同じ参照符号は、同じ部材を表す。図６を参照すれば、第２隔壁３１４ｂ’がそれぞれ第１隔壁３１４ａに対応するように形成されている。従って、第１隔壁３１４ａと第２隔壁３１４ｂ’とが安定的に互いに支持されうるために、ＰＤＰ３００’の構造が安定する。また、蛍光体層３２５の面積が拡大するため、発光効率が向上するという長所を有する。
【００３８】
図７及び図８を参照すれば、本発明のさらに他の実施形態によるＰＤＰ４００が図示されている。図７は、ＰＤＰ４００の部分断面図であり、図８は、図７に図示された放電セル４３０Ｒ，４３０Ｇ，４３０Ｂ、第１放電電極４６０、第２放電電極４７０、及びアドレス電極４９０の配置図である。
【００３９】
図７を参照すれば、ＰＤＰ４００は、互いに対向して配置される第１基板４１０及び第２基板４２０を備える。
【００４０】
ＰＤＰ４００は、第１基板４１０と第２基板４２０との間に配置される電極シート４５０をさらに備える。電極シート４５０は、複数個の赤色、緑色、青色の放電セル４３０Ｒ，４３０Ｇ，４３０Ｂを画定する第１隔壁４１４ａを備える。第１隔壁４１４ａは、誘電体により形成される。電極シート４５０は、第１隔壁４１４ａ内に配置されて赤色、緑色、青色の放電セル４３０Ｒ，４３０Ｇ，４３０Ｂで放電を起こす複数個の放電電極対をさらに備える。各放電電極対は、第１放電電極４６０及び第２放電電極４７０を備え、第１放電電極４６０及び第２放電電極４７０は、第１隔壁４１４ａ内で第１基板４１０に垂直方向に離隔されて配置される。図８を参照すれば、各第１放電電極４６０及び各第２放電電極４７０は、列方向に沿って配置されている赤色放電セル４３０Ｒ、緑色放電セル４３０Ｇ、または青色放電セル４３０Ｂをそれぞれ取り囲みつつ互いに平行するように延びている。
【００４１】
また、電極シート４５０は、第１放電電極４６０及び第２放電電極４７０と交差するように延びるアドレス電極４９０をさらに備える。アドレス電極４９０は、第１隔壁４１４ａ内で、第１放電電極４６０及び２放電電極４７０と第１基板４１０とに垂直方向に離隔されて配置されている。図８を参照すれば、アドレス電極４９０は、行方向に沿って配置されている放電セル３３０Ｒ，３３０Ｇ，３３０Ｂをそれぞれ取り囲みつつ延びている。
【００４２】
図７に図示されているように、アドレス放電電圧を下げるために、第１基板４１０に近い順に第２放電電極４７０、アドレス電極４９０、及び第１放電電極４６０が順次に配置されている。しかし、本発明は、これに限定されるものではなく、アドレス電極４９０が第１基板４１０に最も近く配置されたり、最も遠く配置されたり、アドレス電極４９０が第２基板４２０上に形成されたりすることもある。アドレス電極４９０は、第１放電電極４６０と第２放電電極４７０との間の維持放電をさらに容易にするためのアドレス放電を起こすためのものであり、さらに具体的には、維持放電が開始される電圧を下げる役割を果たす。図７では、第１放電電極４６０が走査電極として作用し、第２放電電極４７０が維持電極として作用するが、本発明は、これに限定されるものではない。
【００４３】
電極シート４５０は、第１隔壁４１４ａの内側面に形成されて第１隔壁４１４ａを保護するとともに二次電子を発生する保護層４１５をさらに備える。
【００４４】
ＰＤＰ４００は、電極シート４５０と第２基板４２０との間に配置される第２隔壁４１４ｂをさらに備える。ただし、第２隔壁４１４ｂの形状は、これに限定されるものではなく、図６に図示された第２隔壁３１４ｂ’と類似の形状を有することができる。
【００４５】
第２隔壁４１４ｂの内側面と第２基板４２０の表面とには、蛍光体層４２５が配置される。蛍光体層４２５は、紫外線によって白色光を生成する白色発光蛍光体層である。第２隔壁４１４ｂにより、蛍光体層４２５が形成される面積が拡大するために、発光効率が大きく向上する。前述のように、蛍光体層４２５が白色発光蛍光体層であるために、第２隔壁４１４ｂは、第１隔壁４１４ａとの位置合わせが不要である。また、第１隔壁４１４ａの形状と第２隔壁４１４ｂの形状とが互いに異なってもよい。従って、製造が容易になるという長所を有する。図７を参照すれば、第２隔壁４１４ｂは、赤色、緑色、青色の放電セル４３０Ｒ，４３０Ｇ，４３０Ｂを備える単位画素に対応するように、電極シート４５０と第２基板４２０との間の空間を区画しているが、本発明は、これに限定されるものではない。
【００４６】
第１隔壁４１４ａと第１基板４１０との間には、カラーフィルタ層４８０が形成されている。さらに具体的には、カラーフィルタ層４８０は、第１基板４１０の表面に形成される。カラーフィルタ層４８０は、赤色、緑色、青色のカラーフィルタパターン層４８０Ｒ，４８０Ｇ，４８０Ｂ、及び吸光層４８５を備える。赤色、緑色、青色のカラーフィルタパターン層４８０Ｒ，４８０Ｇ，４８０Ｂは、それぞれ放電セル４３０Ｒ，４３０Ｇ，４３０Ｂに対応する部分に形成される。吸光層４８５は、実質的に黒色を呈し、外光を吸収する機能を有する。従って、吸光層４８５は、非放電領域に対応する部分に形成され、具体的には、第１隔壁４１４ａに対向する部分に形成される。吸光層４８５によって外光反射が減少し、明室コントラストが向上する。
【００４７】
ＰＤＰ４００は、放電セル４３０Ｒ，４３０Ｇ，４３０Ｂ内に配置される放電ガスをさらに備える。
【００４８】
ＰＤＰ４００の駆動方法は、次の通りである。まず、第１放電電極４６０とアドレス電極４９０との間にアドレス放電が起き、このアドレス放電の結果として維持放電の起こる放電セル４３０Ｒ，４３０Ｇ，４３０Ｂが選択される。その後、選択された放電セル４３０Ｒ，４３０Ｇ，４３０Ｂの第１放電電極４６０と第２放電電極４７０との間に交流である維持電圧が印加されれば、第１放電電極４６０と第２放電電極４７０との間に維持放電が起こる。この維持放電によって励起された放電ガスのエネルギー準位が低くなりつつ紫外線が放出される。そして、この紫外線が蛍光体層４２５を励起させるが、この励起された蛍光体層４２５のエネルギー準位が低くなりつつ白色光が生成される。白色光が赤色、緑色、青色のカラーフィルタパターン層４８０Ｒ，４８０Ｇ，４８０Ｂを透過しつつ、赤色光、緑色光、または青色光になる。かかる赤色光、緑色光、及び青色光が単独または混合されて画像を構成する。
【００４９】
図９は、本発明のさらに他の実施形態によるＰＤＰ５００の断面図である。図９を参照すれば、ＰＤＰ５００は、互いに対向して配置される第１基板５１０及び第２基板５２０を備える。
【００５０】
ＰＤＰ５００は、第１基板５１０と第２基板５２０との間に配置される電極シート５５０をさらに備える。電極シート５５０は、複数個の赤色、緑色、青色の放電セル５３０Ｒ，５３０Ｇ，５３０Ｂを画定する第１隔壁５１４ａを備える。第１隔壁５１４ａは、誘電体により形成される。電極シート５５０は、第１隔壁５１４ａ内に配置されて赤色、緑色、青色の放電セル５３０Ｒ，５３０Ｇ，５３０Ｂで放電を起こす複数個の放電電極対をさらに備える。各放電電極対は、第１放電電極５６０及び第２放電電極５７０を備え、第１放電電極５６０及び第２放電電極５７０は、第１隔壁５１４ａ内で第１基板５１０に垂直方向に離隔されて配置される。各第１放電電極５６０は、列方向に沿って配置されている赤色放電セル５３０Ｒ、緑色放電セル５３０Ｇ、または青色放電セル５３０Ｂをそれぞれ取り囲みつつ延び、各第２放電電極５７０は、行方向に沿って配置されている放電セル５３０Ｒ，５３０Ｇ，５３０Ｂをそれぞれ取り囲みつつ延びている。従って、第１放電電極５６０は、第２放電電極５７０と交差する。また、電極シート５５０は、第１隔壁５１４ａの内側面に形成される保護層５１５をさらに備える。
【００５１】
ＰＤＰ５００は、電極シート５５０と第２基板５２０との間に配置される第２隔壁５１４ｂをさらに備える。ただし、第２隔壁５１４ｂの形状は、これに限定されるものではなく、図６に図示された第２隔壁３１４ｂ’と類似の形状を有することができる。
【００５２】
第２隔壁５１４ｂの内側面と第２基板５２０の表面とには、蛍光体層５２５が配置される。蛍光体層５２５は、紫外線によって白色光を生成する白色発光蛍光体層である。第２隔壁５１４ｂによって蛍光体層５２５が形成される面積が拡大するために、発光効率が大きく向上する。蛍光体層５２５が白色発光蛍光体層であるために、第２隔壁５１４ｂは、第１隔壁５１４ａとの位置合わせが不要である。また、第１隔壁５１４ａの形状と第２隔壁５１４ｂの形状とが互いに異なりうる。従って、製造が容易になるという長所を有する。図９を参照すれば、第２隔壁５１４ｂは、赤色、緑色、青色の放電セル５３０Ｒ，５３０Ｇ，５３０Ｂを備える単位画素に対応するように電極シート５５０と第２基板５２０との間の空間を区画しているが、本発明はこれに限定されるものではない。
【００５３】
第１隔壁５１４ａと第１基板５１０との間には、カラーフィルタ層５８０が形成されている。さらに具体的には、第１基板５１０には、グルーブ５１０ａが形成されており、グルーブ５１０ａ内にカラーフィルタ層５８０が形成される。グルーブ５１０ａにより、第１基板５１０が薄くなるため、前方への可視光透過率が向上する。
【００５４】
カラーフィルタ層５８０は、赤色、緑色、青色のカラーフィルタパターン層５８０Ｒ，５８０Ｇ，５８０Ｂ、及び吸光層５８５を備える。赤色、緑色、青色のカラーフィルタパターン層５８０Ｒ，５８０Ｇ，５８０Ｂは、それぞれ放電セル５３０Ｒ，５３０Ｇ，５３０Ｂに対応する部分に形成される。吸光層３８５は、実質的に黒色を呈し、外光を吸収する機能を有する。従って、吸光層５８５は、非放電領域に対応する部分に形成され、具体的には、第１隔壁５１４ａに対向する部分に形成される。吸光層５８５によって外光反射が減少し、明室コントラストが向上する。図９には、１つのグルーブ５１０ａがＰＤＰのディスプレイ領域にわたって形成されている。しかし、赤色、緑色、青色のカラーフィルタパターン層５８０Ｒ，５８０Ｇ，５８０Ｂに対応する部分ごとにグルーブが形成されることもある。
【００５５】
ＰＤＰ５００は、放電セル５３０Ｒ，５３０Ｇ，５３０Ｂ内に配置される放電ガスをさらに備える。第１基板５１０と第２基板５２０は、端部に沿って形成されたシーリング層５９８によって互いに接合される。
【００５６】
ＰＤＰ５００の駆動方法は、図２に図示されたＰＤＰ２００の駆動方法と同様であるので、ここでは省略する。なお、本実施形態におけるＰＤＰ５００は、上述した形態に限定されるものではなく、たとえば、図７に示した形態と同様に、第１隔壁内にアドレス電極をさらに備えることできる。
【００５７】
本発明のＰＤＰによれば、蛍光体層の形成工程が単純化されうるために、製造が容易になり、製造時間が短縮される。
【００５８】
本発明は、図面に図示された実施形態を参考に説明されたが、それらは、例示的なものにすぎず、本技術分野の当業者ならば、それらから多様な変形及び均等な他の実施形態が可能であるという点を理解できるであろう。従って、本発明の真の技術的保護範囲は、特許請求の範囲の技術的思想によってのみ決まるものである。
【産業上の利用可能性】
【００５９】
本発明のＰＤＰは、例えば、ディスプレイ関連の技術分野に効果的に適用可能である。
【図面の簡単な説明】
【００６０】
【図１】一般的なＰＤＰの分離斜視図である。
【図２】本発明の一実施形態によるＰＤＰの部分分離斜視図である。
【図３】図２のIII−III線に沿った部分断面図である。
【図４】図２に図示された放電セル、第１放電電極、及び第２放電電極の概略的な配置図である。
【図５】本発明の他の実施形態によるＰＤＰの部分断面図である。
【図６】図５に図示されたＰＤＰの変形例による部分断面図である。
【図７】本発明のさらに他の実施形態によるＰＤＰの部分断面図である。
【図８】図７に図示された放電セル、第１放電電極、第２放電電極、及びアドレス電極の概略的配置図である。
【図９】本発明のさらに他の実施形態によるＰＤＰの断面図である。
【符号の説明】
【００６１】
１００，２００，３００，３００’，４００，５００    ＰＤＰ、
１０１，２１０，３１０，４１０，５１０    第１基板、
１０６，１０７    維持電極、
１０９    第１誘電体層、
１１０，２２５，３２５，４２５，５２５    蛍光体層、
１１１，２１５，３１５，４１５，５１５    保護層、
１１３    第２誘電体層、
１１４，２１４    隔壁、
１１５，２２０，３２０，４２０，５２０    第２基板、
１１７，４９０    アドレス電極、
２１４ａ，２１４ｂ，２１４ｃ，２１４ｄ，２１４ｅ    誘電体シート、
２３０Ｂ，３３０Ｂ，４３０Ｂ，５３０Ｂ    青色放電セル、
２３０Ｇ，３３０Ｇ，４３０Ｇ，５３０Ｇ    緑色放電セル、
２３０Ｒ，３３０Ｒ，４３０Ｒ，５３０Ｒ    赤色放電セル、
２５０，３５０，４５０，５５０    電極シート、
２６０，３６０，４６０，５６０    第１放電電極、
２７０，３７０，４７０，５７０    第２放電電極、
２８０，３８０，４８０，５８０    カラーフィルタ層、
２８０Ｂ，３８０Ｂ，４８０Ｂ，５８０Ｂ    青色カラーフィルタパターン層、
２８０Ｇ，３８０Ｇ，４８０Ｇ，５８０Ｇ    緑色カラーフィルタパターン層、
２８０Ｒ，３８０Ｒ，４８０Ｒ，５８０Ｒ    赤色カラーフィルタパターン層、
２８５，３８５，４８５，５８５    吸光層、
３１４ａ，４１４ａ，５１４ａ    第１隔壁、
３１４ｂ，３１４ｂ’，４１４ｂ，５１４ｂ    第２隔壁、
５１０ａ    グルーブ、
５９８    シーリング層。
【図１】
2007214133.tif 000003
【図２】
2007214133.tif 000004
【図３】
2007214133.tif 000005
【図４】
2007214133.tif 000006
【図５】
2007214133.tif 000007
【図６】
2007214133.tif 000008
【図７】
2007214133.tif 000009
【図８】
2007214133.tif 000010
【図９】
2007214133.tif 000011